(57)【要約】【課題】ＲＦＩＤ読み取り装置およびＲＦＩＤ保守管理システムに関し、交信範囲内にＲＦＩＤタグが存在しない場合であっても、保守作業の確認を離れた場所から行い、作業効率を高めることを目的とする。【解決手段】ＲＦＩＤ読み取り装置４は、本体部４ａに設けられたアンテナ素子１４を介して管理対象体に取り付けられたＲＦＩＤタグを読み取るリーダライタ１５と、このリーダライタ１５の交信範囲に配置された動作確認用ＲＦＩＤタグ１６とを備え、リーダライタ１５は受信して得た操作指示情報に応じた応答制御命令を動作確認用ＲＦＩＤタグ１６に送信させる操作指示情報実行部２５ａを有し、動作確認用ＲＦＩＤタグ１６はリーダライタ１５から送信される応答制御命令に応じて応答動作する構成とした。【選択図】図２
2010117817.tif 000002
【特許請求の範囲】
【請求項１】
本体部に設けられたアンテナ素子を介して管理対象体に取り付けられたＲＦＩＤタグを読み取るリーダライタと、このリーダライタの交信範囲に配置された動作確認用ＲＦＩＤタグとを備え、
前記リーダライタは受信して得た操作指示情報に応じた応答制御命令を前記動作確認用ＲＦＩＤタグに送信させる操作指示情報実行部を有し、
前記動作確認用ＲＦＩＤタグは前記リーダライタから送信される前記応答制御命令に応じて応答動作する構成としたことを特徴とするＲＦＩＤ読み取り装置。
【請求項２】
前記動作確認用ＲＦＩＤタグは、タグアンテナ部と、前記タグアンテナ部を介して受信して得た前記応答制御命令を復調する復調部と、前記タグアンテナ部を開放または短絡させて応答データを変調する変調部と、復調された前記応答制御命令に応じて前記変調部を作動または停止させる応答制御部とを有し、
前記応答制御部は、前記応答制御命令が応答可の場合は前記変調部を作動させ、前記応答制御命令が応答不可である場合は前記変調部を停止させる構成としたことを特徴とする請求項１に記載のＲＦＩＤ読み取り装置。
【請求項３】
前記変調部は、停止している間は前記タグアンテナ部の端子間を開放する構成としたことを特徴とする請求項２に記載のＲＦＩＤ読み取り装置。
【請求項４】
請求項１から請求項３のいずれか１項に記載のＲＦＩＤ読み取り装置と、
前記ＲＦＩＤ読み取り装置のリーダライタに係るソフトウェアまたは設定情報の更新を通信回線を介して行う保守管理装置とを備え、
前記保守管理装置は、前記リーダライタに前記通信回線を介して操作指示情報を送信し、前記リーダライタにより動作確認用ＲＦＩＤタグの応答動作を操作する構成としたことを特徴とするＲＦＩＤ保守管理システム。
【発明の詳細な説明】
【技術分野】
【０００１】
本発明は、ＲＦＩＤ読み取り装置およびＲＦＩＤ保守管理システムに関する。
【背景技術】
【０００２】
近年、物流、物品などの管理を効率化するために、ＲＦＩＤ（Ｒａｄｉｏ  Ｆｒｅｑｕｅｎｃｙ  ＩＤｅｎｔｉｆｉｃａｔｉｏｎ）タグが利用されている。例えば、ＲＦＩＤタグを名札に付けたＲＦＩＤタグ付名札を児童や園児に取り付け、無線通信により登下校中の児童や園児の所在地管理および安全確認を行う地域防犯システムなどが提案されている。
【０００３】
従来の地域防犯システムでは、例えば、学校の校区内にある多数の電柱それぞれにＲＦＩＤ読み取り装置を設置し、登下校中の児童の移動経路、挙動、学校の入退場、公園における所在確認などを、児童や園児に付けたＲＦＩＤタグ付名札を読み取ることにより行っていた（例えば、特許文献１参照）。
【特許文献１】特開２００７−４２００９号公報
【発明の開示】
【発明が解決しようとする課題】
【０００４】
従来の地域防犯システムでは、ＲＦＩＤ読み取り装置が所定のエリア内に多数設置されているため、定期あるいは非定期の保守点検、ソフトウェア更新などに多くの作業時間を要するものであった。そこで、保守作業を通信回線を介して遠隔より行い作業効率を高めるようにすることが考えられる。
【０００５】
しかしながら、保守作業は地域防犯システムの稼動に影響が少ない深夜に行う場合がほとんどであり、深夜では児童や園児がＲＦＩＤ読み取り装置の交信範囲内に所在することはまれであった。このため、ＲＦＩＤ読み取り装置によりＲＦＩＤタグ付名札を読み取って保守作業後の確認を行うことができず、作業員をＲＦＩＤ読み取り装置が設置されている場所まで赴かせ保守用のＲＦＩＤタグ付名札を直接に読み取らせるなどする必要があり、作業効率が低いという課題があった。
【０００６】
そこで、本発明は、交信範囲内にＲＦＩＤタグが存在しない場合であっても、保守作業の確認を離れた場所からでも行い、作業効率を高めることを目的とする。
【課題を解決するための手段】
【０００７】
この目的を達成するために本発明のＲＦＩＤ読み取り装置は、本体部に設けられたアンテナ素子を介して管理対象体に取り付けられたＲＦＩＤタグを読み取るリーダライタと、このリーダライタの交信範囲に配置された動作確認用ＲＦＩＤタグとを備え、リーダライタは受信して得た操作指示情報に応じた応答制御命令を動作確認用ＲＦＩＤタグに送信させる操作指示情報実行部を有し、動作確認用ＲＦＩＤタグはリーダライタから送信される応答制御命令に応じて応答動作する構成としたことを特徴とする。このような構成により、所期の目的を達成するものである。
【０００８】
次に、本発明のＲＦＩＤ保守管理システムは、上記したＲＦＩＤ読み取り装置と、ＲＦＩＤ読み取り装置のリーダライタに係るソフトウェアまたは設定情報の更新を通信回線を介して行う保守管理装置とを備え、保守管理装置は、リーダライタに通信回線を介して操作指示情報を送信し、リーダライタにより動作確認用ＲＦＩＤタグの応答動作を操作する構成としたことを特徴とする。このような構成により、所期の目的を達成するものである。
【発明の効果】
【０００９】
以上のように本発明のＲＦＩＤ読み取り装置は、本体部に設けられたアンテナ素子を介して管理対象体に取り付けられたＲＦＩＤタグを読み取るリーダライタと、このリーダライタの交信範囲に配置された動作確認用ＲＦＩＤタグとを備え、リーダライタは受信して得た操作指示情報に応じた応答制御命令を動作確認用ＲＦＩＤタグに送信させる操作指示情報実行部を有し、動作確認用ＲＦＩＤタグはリーダライタから送信される応答制御命令に応じて応答動作する構成としたので、リーダライタを介して動作確認用ＲＦＩＤタグの応答動作を操作することが可能となる。例えば、リーダライタを通信回線を介して保守管理装置に接続すれば、保守管理装置から通信回線を介して操作指示情報をリーダライタに送り、動作確認用ＲＦＩＤタグの応答動作を操作することができる。これにより、交信範囲内にＲＦＩＤタグが存在しない場合であっても、リーダライタに係るソフトウェアまたは設定情報の更新などにおける保守作業の確認を離れた場所からでも行うことができ、作業効率を高めることができる。
【００１０】
次に、本発明のＲＦＩＤ保守管理システムは、上記したＲＦＩＤ読み取り装置と、ＲＦＩＤ読み取り装置のリーダライタに係るソフトウェアまたは設定情報の更新を通信回線を介して行う保守管理装置とを備え、保守管理装置は、リーダライタに通信回線を介して操作指示情報を送信し、リーダライタにより動作確認用ＲＦＩＤタグの応答動作を操作する構成としたので、保守管理装置から通信回線を介して操作指示情報をリーダライタに送り、リーダライタにより動作確認用ＲＦＩＤタグの応答動作を操作することができる。これにより、交信範囲内にＲＦＩＤタグが存在しない場合であっても、リーダライタに係るソフトウェアまたは設定情報の更新における保守作業の確認を離れた場所からでも行うことができ、作業効率を高めることができる。
【発明を実施するための最良の形態】
【００１１】
以下、本発明の実施の形態について、図面を参照しながら説明する。
【００１２】
（実施の形態）
まず、図１、図２を参照しながら、本発明の実施の形態における地域防犯システムについて説明する。ここでは、児童を監視する地域防犯システムを例として説明する。
【００１３】
図１は本発明の実施の形態における地域防犯システム１の概略構成図、図２は本発明の実施の形態におけるＲＦＩＤ読み取り装置４の構成を示すものであり、図２（ａ）はＲＦＩＤ読み取り装置４の正面図、図２（ｂ）は図２（ａ）におけるＡ−Ａ線断面図である。
【００１４】
図１に示すように、地域防犯システム１は、登下校中の管理対象体である児童２の移動経路や挙動、学校の入退場、地域内にある公園などの監視対象における所在の確認などを行うシステムであり、児童に係る街頭犯罪などを防止、早期発見するものである。地域防犯システム１は、ＲＦＩＤタグ付名札３、ＲＦＩＤ読み取り装置４、通信回線７、中継装置８、ネットワーク９および監視装置１１を備えている。以下、通信回線７またはネットワーク９を単に通信回線とも記す。
【００１５】
ＲＦＩＤ読み取り装置４は、通信回線７、中継装置８、ネットワーク９を介して学校１０に設置されている監視装置１１に接続されている。
【００１６】
中継装置８は、通信情報の中継を行うものであり、区域内ある多数のＲＦＩＤ読み取り装置４と通信回線７を介して接続され、これらのＲＦＩＤ読み取り装置４から出力される通信情報を収集し、ネットワーク９を経由して学校１０に設置されている監視装置１１に送信する。また、中継装置８は、ネットワーク９を経由して監視装置１１から送信される通信情報を各ＲＦＩＤ読み取り装置４に配信する。
【００１７】
地域防犯システム１では、例えば、児童２の校区内における複数の通学路５に、複数の防犯用電柱６を設置し、この防犯用電柱６の上端部にＲＦＩＤ読み取り装置４を設けている。そして、児童２の身に付けたＲＦＩＤタグ付名札３をＲＦＩＤ読み取り装置４により読み取り、児童２の所在を監視する。ＲＦＩＤタグ付名札３には、児童２を識別する固有の識別情報が記憶保持されたＲＦＩＤタグが貼付されている。また、ＲＦＩＤタグ付名札３に圧電式のスイッチ（図示せず）を設け、緊急事態が発生したときに児童２がスイッチを押すことで緊急メッセージなどの緊急情報が自動発信されるようにすれば異常も監視することができる。
【００１８】
各ＲＦＩＤ読み取り装置４は、児童２が身に付けているＲＦＩＤタグ付名札３を読み取ると、読み取られた識別情報や緊急情報にＲＦＩＤ読み取り装置４の所在場所情報などを付加した所在情報を生成して、通信回線７、中継装置８、ネットワーク９を経由して監視装置１１に送信する。また、監視装置１１に集められた児童２の所在情報は、ネットワーク９を介して家１２にあるパーソナルコンピュータなどの端末装置１３からも確認することもできる。例えば、所在情報として、「児童２は校区ＡのＢ番地にいます。」、「児童２は校区ＡのＢ番地で緊急メッセージを発信しています。」などを生成する。
【００１９】
これにより、学校１０の職員や家１２にいる家族は、いつでも、児童２の所在情報を知ることができ、児童２の安全を確認することができる。
【００２０】
この防犯用電柱６を、登下校中の児童２の通学路５、学校１０の入退場、地域内にある公園などに複数配置すれば、児童２のＲＦＩＤタグ付名札３をＲＦＩＤ読み取り装置４で読み取ることで所在場所の確認や異常を知ることができ、地域内における児童２に係る街頭犯罪などを防止、早期発見することができる。
【００２１】
ＲＦＩＤ読み取り装置４がＲＦＩＤタグ付名札３を読み取ることができる範囲には限界があるため、児童２の通学路５、学校１０の入退場、地域内にある公園などに多数配置して所在場所の確認精度を高めている。
【００２２】
ところで、このように多数のＲＦＩＤ読み取り装置４を配置すると、定期あるいは非定期にソフトウェア更新、設定情報の変更など保守点検を行う場合、多くの作業時間を要するものであった。そこで、作業場所を移動する時間を節約し保守作業の効率を上げるために、保守作業をネットワーク９を介して遠隔より行うことが考えられる。
【００２３】
しかしながら、保守作業は地域防犯システム１の稼動に影響が少ない深夜に行う場合がほとんどであり、深夜では児童や園児がＲＦＩＤ読み取り装置４の交信範囲内に所在することはまれであった。このため、ＲＦＩＤ読み取り装置４によりＲＦＩＤタグ付名札３を読ませて保守後の作業確認をすることはほとんど不可能であり、作業員をＲＦＩＤ読み取り装置４が設置されている場所まで赴かせ保守用のＲＦＩＤタグ付名札３を直接に読み取らせるなどしていた。このため、作業効率は上がらず、保守作業に多くの時間を要していた。
【００２４】
そこで、本実施の形態では、交信範囲内にＲＦＩＤタグ付名札３が存在しない場合であっても、保守作業の確認をできるようにした。
【００２５】
すなわち、図２（ａ）、図２（ｂ）に示すように、ＲＦＩＤ読み取り装置４は、本体部４ａに設けられたアンテナ素子１４を介して管理対象体である児童２に取り付けられたＲＦＩＤタグであるＲＦＩＤタグ付名札３を読み取るリーダライタ１５と、このリーダライタ１５の交信範囲に配置された動作確認用ＲＦＩＤタグ１６とを備え、リーダライタ１５は受信して得た操作指示情報に応じた応答制御命令を動作確認用ＲＦＩＤタグ１６に送信させる操作指示情報実行部２５ａを有し、動作確認用ＲＦＩＤタグ１６はリーダライタ１５から送信される応答制御命令に応じて応答動作する構成とした。
【００２６】
このような構成により、保守管理装置などから通信回線を介して操作指示情報をリーダライタ１５に送り、動作確認用ＲＦＩＤタグ１６の応答動作を離れた場所からも操作することが可能となる。これにより、ＲＦＩＤ読み取り装置４の交信範囲内にＲＦＩＤタグ付名札３が存在しない場合であっても、本体部４ａの内部の上部に設けた動作確認用ＲＦＩＤタグ１６を用いてリーダライタ１５に係るソフトウェアまたは設定情報の更新などにおける保守作業の確認を離れた場所からも行うことができる。
【００２７】
なお、図２（ｂ）では、リーダライタ１５を本体部４ａに収納しているが、これに限定されない。リーダライタ１５を防犯用電柱６に取り付けてもよい。また、防犯用電柱６と中継装置８との距離が近い場合には中継装置８、防犯用電柱６と監視装置１１との距離が近い場合には監視装置１１にリーダライタ１５を設けるようにしてもよい。
【００２８】
図３は、本発明の実施の形態におけるＲＦＩＤ保守管理システム１７のブロック図である。図３に示すように、ＲＦＩＤ保守管理システム１７は、ＲＦＩＤ読み取り装置４と、ＲＦＩＤ読み取り装置４のリーダライタ１５に係るソフトウェアまたは設定情報の更新を通信回線（通信回線７を含むネットワーク９）を介して行う保守管理装置１９とを備え、保守管理装置１９は、リーダライタ１５に通信回線を介して操作指示情報を送信し、リーダライタ１５により動作確認用ＲＦＩＤタグ１６の応答動作を操作する構成とした。
【００２９】
また、ＲＦＩＤ保守管理システム１７は、所定の領域ごとに中継装置８を設置し、複数のＲＦＩＤ読み取り装置４を中継装置８を介して保守管理装置１９と接続するようにした。これにより、製造メーカや管理会社などの中央管理センタ１８などに設置されている保守管理装置１９から、１つの中継装置８に対してリーダライタ１５に係るソフトウェア、設定の更新情報または操作指示情報を送ることで、中継装置８に接続されている複数のＲＦＩＤ読み取り装置４に対して保守作業を行うことができる。これにより、ＲＦＩＤ読み取り装置４を多数台設置しても効率よくネットワーク９の回線を利用することができる。
【００３０】
ＲＦＩＤ読み取り装置４は、アンテナ素子１４とリーダライタ１５と動作確認用ＲＦＩＤタグ１６とを備え、校区内に配設した複数の防犯用電柱６それぞれに設置されている。そして、各ＲＦＩＤ読み取り装置４は、通信回線７を介して中継装置８にそれぞれ接続されている。
【００３１】
リーダライタ１５は、アンテナ素子１４とのインピーダンスを整合させる整合部２６、サーキュレータ２１、パワーアンプ２２、ＲＦフロントエンド部２３、信号処理部２４、無線制御部２５を備え、同軸ケーブル４ｂ、アンテナ素子１４を介して動作確認用ＲＦＩＤタグ１６またはＲＦＩＤタグ付名札３を読み取る。
【００３２】
ＲＦフロントエンド部２３は、コマンド（命令）やデータを搬送する搬送波として、ＵＨＦ帯（例えば、９５２ＭＨｚ〜９５５ＭＨｚ）、マイクロ波帯（例えば、２．４５ＧＨｚ）、ＨＦ帯（例えば、１３．５６ＭＨｚ）の周波数などを利用する。
【００３３】
無線制御部２５は、通信回線７、中継装置８を介して保守管理装置１９に接続されている。これにより、リーダライタ１５は、保守管理装置１９と通信することができる。また、無線制御部２５は受信して得た操作指示情報に応じた応答制御命令を動作確認用ＲＦＩＤタグ１６に送信させる操作指示情報実行部２５ａを有する。リーダライタ１５は、この操作指示情報実行部２５ａにより、保守管理装置１９からの操作指示情報を受信したときに、受信して得た操作指示情報に応じた応答制御命令をアンテナ素子１４を介して動作確認用ＲＦＩＤタグ１６に送信する。
【００３４】
動作確認用ＲＦＩＤタグ１６は、リーダライタ１５から同軸ケーブル４ｂ、アンテナ素子１４を介して応答制御命令を受信し、受信して得た応答制御命令に応じた応答動作を行う。
【００３５】
次に、動作確認用ＲＦＩＤタグ１６の詳細について説明する。図４は本発明の実施の形態における動作確認用ＲＦＩＤタグ１６のブロック図である。
【００３６】
図４に示すように、動作確認用ＲＦＩＤタグ１６は、タグアンテナ部１６ａとタグ回路部１６ｂとを備えている。
【００３７】
タグ回路部１６ｂは、タグアンテナ部１６ａを介して受信して得た質問信号（応答制御命令を含む）を復調する復調部３３と、タグアンテナ部１６ａの端子ａと端子ｂをスイッチ素子３８を介して開放または短絡させて応答データを変調する変調部３７と、復調された応答制御命令に応じて変調部３７を作動または停止させる応答制御部３６と、復調部３３および変調部３７を制御する制御部３４と、識別情報を記憶する記憶部３５とを有する。
【００３８】
また、タグ回路部１６ｂは、ダイオード３１とコンデンサ３２とを有し、タグアンテナ部１６ａで質問信号（無線信号）を受信すると共に、受信した無線信号から生成した電力をダイオード３１で整流し、直流電圧（以下、「ＤＣ電圧」と記す）を生成する。そして、タグ回路部１６ｂは、ＤＣ電圧をコンデンサ３２に充電すると共に復調部３３、制御部３４、記憶部３５、応答制御部３６、変調部３７を起動させる。
【００３９】
復調部３３は、制御部３４からの指示により受信した質問信号から「所在番地はどこか？」という問い合わせを復調する。また、制御部３４は、復調部３３への指示と同時に記憶部３５に記憶保持している個別情報を読み出している。そして、記憶部３５に記憶保持された識別情報により「所在番地は校区ＡのＢ番地」であった場合には、制御部３４は、その問い合わせ（質問信号）に対して「校区ＡのＢ番地」であることを、応答制御部３６、変調部３７を介してスイッチ素子３８をＯＮ、ＯＦＦさせて応答する。このように、ＲＦＩＤ読み取り装置４が設置される所在場所情報を動作確認用ＲＦＩＤタグ１６の識別情報として記憶させておくことができる。
【００４０】
応答制御部３６は、復調部３３で復調された応答制御命令が応答可の場合は変調部３７を作動させ、応答制御命令が応答不可である場合は変調部３７を停止させる。
【００４１】
変調部３７は、スイッチ素子３８をＯＮにしてタグアンテナ部１６ａの端子ａと端子ｂを短絡し、スイッチ素子３８をＯＦＦにしてタグアンテナ部１６ａの端子ａと端子ｂを開放する。これにより、変調部３７は、識別情報などの応答データに応じてスイッチ素子３８をＯＮ、ＯＦＦして、電波をタグアンテナ部１６ａで反射するか否かを制御する。
【００４２】
また、変調部３７は、応答制御部３６からの制御により、停止している間はスイッチ素子３８をＯＦＦにしてタグアンテナ部１６ａの端子ａと端子ｂを開放する。なお、タグ回路部１６ｂにはインピーダンスを整合させるコンデンサ３９を設け、タグアンテナ部１６ａの端子ａと端子ｂを開放させたときに電波の反射が起きないようにしている。これにより、動作確認用ＲＦＩＤタグ１６においてタグアンテナ部１６ａの端子間を開放すると、タグアンテナ部１６ａで受信した電波（無線信号）はタグ回路部１６ｂで消費し、電波を反射しない。このようにすることで、本体部４ａ内に動作確認用ＲＦＩＤタグ１６を備えても、アンテナ素子１４から発せられる電波がタグアンテナ部１６ａで反射するのを抑え、リーダライタ１５によるＲＦＩＤタグ付名札３の読み取りに影響を与えないようにしている。
【００４３】
次に、ＲＦＩＤ保守管理システム１７の動作について説明する。図５はＲＦＩＤ保守管理システム１７の動作を説明するフローチャートである。
【００４４】
図５に示すように、ＲＦＩＤ保守管理システム１７は、更新作業を行う前に、保守管理装置１９は動作確認用ＲＦＩＤタグ１６を起動させる（Ｓ１００）。すなわち、保守管理装置１９は通信回線７、中継装置８、ネットワーク９を介して各ＲＦＩＤ読み取り装置４のリーダライタ１５に「応答可」の操作指示情報を送る。これにより、中継装置８と接続されているすべてのＲＦＩＤ読み取り装置４のリーダライタ１５は、操作指示情報実行部２５ａにより、動作確認用ＲＦＩＤタグ１６に「応答可」の応答制御命令を送信する。動作確認用ＲＦＩＤタグ１６は、「応答可」の応答制御命令を受信すると、応答制御部３６により、変調部３７を作動させる。これにより、変調部３７は、制御部３４からの応答データの指示に応じてスイッチ素子３８をＯＮ、ＯＦＦさせた応答信号で応答することができる。応答データとして、例えば、記憶部３５に記憶保持されている識別情報である「所在番地は校区ＡのＢ番地」の情報がある。また、動作確認用ＲＦＩＤタグ１６は質問信号（各種動作確認用の命令など）に応じた応答信号を返して応答するようになる。
【００４５】
次に、ＲＦＩＤ保守管理システム１７は、動作確認用ＲＦＩＤタグ１６を起動させた後、リーダライタ１５の機能、設定を更新する（Ｓ１０２）。すなわち、ＲＦＩＤ保守管理システム１７は、製造メーカや管理会社などの中央管理センタ１８などに設置されている保守管理装置１９から、１つの中継装置８に対してリーダライタ１５に係るソフトウェア、設定の更新情報を送り、中継装置８と接続されているすべてのＲＦＩＤ読み取り装置４のリーダライタ１５の機能、設定を更新する。
【００４６】
次に、ＲＦＩＤ保守管理システム１７は、更新作業が完了すると（Ｓ１０４）、保守管理装置１９により、中継装置８と接続されているすべてのＲＦＩＤ読み取り装置４の動作確認用ＲＦＩＤタグ１６の応答から各リーダライタ１５の動作を診断し（Ｓ１０６）、保守作業が正常に完了したかを確認する（Ｓ１０８）。もし、異常があれば、動作確認用ＲＦＩＤタグ１６から取得して得た所在情報に応じて「校区ＡのＢ番地のリーダライタが異常です。」などの音声メッセージ、あるいは表示装置に「校区ＡのＢ番地のリーダライタが異常です。」などと表示して作業員に知らせる（Ｓ１１０）。
【００４７】
そして、中継装置８と接続されているすべてのＲＦＩＤ読み取り装置４の動作確認用ＲＦＩＤタグ１６を停止させ（Ｓ１１２）、保守作業を完了する。また、正常に完了した場合も、中継装置８と接続されているすべてのＲＦＩＤ読み取り装置４の動作確認用ＲＦＩＤタグ１６を停止させ（Ｓ１１２）、保守作業を完了する。すなわち、保守管理装置１９は通信回線７、中継装置８、ネットワーク９を介して各リーダライタ１５に「応答不可」の操作指示情報を送る。これにより、各リーダライタ１５は、操作指示情報実行部２５ａにより、動作確認用ＲＦＩＤタグ１６に「応答不可」の応答制御命令を送信する。各動作確認用ＲＦＩＤタグ１６は、「応答不可」の応答制御命令を受信すると、応答制御部３６により、変調部３７を停止させる。変調部３７は、停止している間はスイッチ素子３８をＯＦＦにしてタグアンテナ部１６ａの端子ａと端子ｂを開放する。
【００４８】
以上の保守作業は、定期あるいは不定期に行われる。なお、保守管理装置１９から、所定の間隔（例えば、１日ごと）で動作確認であるＳ１０４〜Ｓ１１２を自動的に実行するようにしてもよい。これにより、通信回線７の断線破断、リーダライタ１５の故障などを早期に発見することができ、児童２に係る街頭犯罪などを防止、早期発見することができるように維持することができる。また、動作確認は、児童２の監視動作に影響が少ない深夜にするのが好ましく、例えば、塾帰りの児童２もいない午前２時に設定する。
【００４９】
以上のように本実施の形態によれば、ＲＦＩＤ読み取り装置４は、本体部４ａに設けられたアンテナ素子１４を介して管理対象体である児童２に取り付けられたＲＦＩＤタグ付名札３を読み取るリーダライタ１５と、このリーダライタ１５の交信範囲に配置された動作確認用ＲＦＩＤタグ１６とを備え、リーダライタ１５は受信して得た操作指示情報に応じた応答制御命令を動作確認用ＲＦＩＤタグ１６に送信させる操作指示情報実行部２５ａを有し、動作確認用ＲＦＩＤタグ１６はリーダライタ１５から送信される応答制御命令に応じて応答動作する構成とした。
【００５０】
このような構成により、リーダライタ１５を通信回線を介して保守管理装置１９に接続すれば、保守管理装置１９から通信回線を経由して操作指示情報をリーダライタ１５に送り、動作確認用ＲＦＩＤタグ１６の応答動作を離れた場所からも操作することが可能となる。これにより、ＲＦＩＤ読み取り装置４の交信範囲内にＲＦＩＤタグ付名札３が存在しない場合であっても、保守作業の確認を離れた場所からも行うことができ、作業効率を高めることが可能となる。
【００５１】
また、ＲＦＩＤ保守管理システム１７は、ＲＦＩＤ読み取り装置４と、ＲＦＩＤ読み取り装置４のリーダライタ１５に係るファームウェアなどのソフトウェアまたは設定情報の更新を通信回線を介して行う保守管理装置１９とを備え、保守管理装置１９は、リーダライタ１５に通信回線を介して操作指示情報を送信し、リーダライタ１５により動作確認用ＲＦＩＤタグ１６の応答動作を操作する構成とした。なお、通信回線はセキュリティの問題から、専用回線が用いられる場合もある。
【００５２】
このような構成により、保守管理装置１９から通信回線を介して操作指示情報をリーダライタ１５に送り、リーダライタ１５により動作確認用ＲＦＩＤタグ１６の応答動作を操作することができる。これにより、交信範囲内にＲＦＩＤタグが存在しない場合であっても、リーダライタ１５に係るソフトウェアまたは設定情報の更新における保守作業の確認を離れた場所からも行うことができ、作業効率を高めることができる。
【００５３】
なお、リーダライタ１５を防犯用電柱６に設けるようにしたが、各中継装置８に収納するようにしてもよい。中継装置８では、各ＲＦＩＤ読み取り装置４と結ばれている通信回線７それぞれを切り替える切り替え部を備え、この切り替え部により切り替えられた出力をリーダライタ１５に接続するようにすればよい。これにより、リーダライタ１５の台数を大幅に減らすことができる。
【００５４】
また、保守管理装置１９から通信回線を介してリーダライタ１５に直接に操作指示情報を送るようにしたが、これに限定されるものではない。例えば、保守管理装置１９から監視装置１１に操作指示情報を送り、監視装置１１から複数のＲＦＩＤ読み取り装置４に転送するようにしてもよい。これにより、ＲＦＩＤ読み取り装置４を多数台設置しても負荷が増えるのを抑え、効率よくネットワーク９の回線を利用することができる。
【産業上の利用可能性】
【００５５】
以上のように本発明は、本体部に設けられたアンテナ素子を介して管理対象体に取り付けられたＲＦＩＤタグを読み取るリーダライタと、このリーダライタの交信範囲に配置された動作確認用ＲＦＩＤタグとを備え、リーダライタは受信して得た操作指示情報に応じた応答制御命令を動作確認用ＲＦＩＤタグに送信させる操作指示情報実行部を有し、動作確認用ＲＦＩＤタグはリーダライタから送信される応答制御命令に応じて応答動作する構成としたので、リーダライタを介して動作確認用ＲＦＩＤタグの応答動作を操作することが可能となる。これにより、交信範囲内にＲＦＩＤタグが存在しない場合であっても、リーダライタに係るソフトウェアまたは設定情報の更新などにおける保守作業の確認を離れた場所からも行うことができ、作業効率を高めることを可能とするＲＦＩＤ読み取り装置、ＲＦＩＤ保守管理システムに有用なものである。
【図面の簡単な説明】
【００５６】
【図１】本発明の実施の形態における地域防犯システムの概略構成図
【図２】（ａ）は本発明の実施の形態におけるＲＦＩＤ読み取り装置の正面図、（ｂ）は（ａ）におけるＡ−Ａ線断面図
【図３】本発明の実施の形態におけるＲＦＩＤ保守管理システムのブロック図
【図４】本発明の実施の形態における動作確認用ＲＦＩＤタグのブロック図
【図５】本発明の実施の形態におけるＲＦＩＤ保守管理システムの動作を説明するフローチャート
【符号の説明】
【００５７】
１    地域防犯システム
２    児童
３    ＲＦＩＤタグ付名札
４    ＲＦＩＤ読み取り装置
４ａ    本体部
４ｂ    同軸ケーブル
５    通学路
６    防犯用電柱
７    通信回線
８    中継装置
９    ネットワーク
１０    学校
１１    監視装置
１２    家
１３    端末装置
１４    アンテナ素子
１５    リーダライタ
１６    動作確認用ＲＦＩＤタグ
１６ａ    タグアンテナ部
１６ｂ    タグ回路部
１７    ＲＦＩＤ保守管理システム
１８    中央管理センタ
１９    保守管理装置
２１    サーキュレータ
２２    パワーアンプ
２３    ＲＦフロントエンド部
２４    信号処理部
２５    無線制御部
２５ａ    操作指示情報実行部
２６    整合部
３１    ダイオード
３２，３９    コンデンサ
３３    復調部
３４    制御部
３５    記憶部
３６    応答制御部
３７    変調部
３８    スイッチ素子
【図１】
2010117817.tif 000003
【図２】
2010117817.tif 000004
【図３】
2010117817.tif 000005
【図４】
2010117817.tif 000006
【図５】
2010117817.tif 000007